(57)【要約】【目的】  本発明は、新規なバーベキューグリル用支持脚を得る。【構成】  バーベキューグリルＢ１の支持脚１００は、一本脚１１０と、支持部１２０と、接地部１３０とを備えている。支持部１２０は、火床２２０を支持可能である。設置部１３０は地面に接地可能である。一本脚１１０は、支持部１２０から接地部１３０へと延びている。支持部１２０は、一本脚１１０の上端部からＹ方向側に延びており、接地部１３０は、一本脚１１０の下端部からＹ’方向側に延びている。一本脚１１０は、第１地点１１１と、第１地点１１１に対してＺ’方向側且つＹ方向側に位置する第２地点１１２と、第１地点１１１から第２地点１１２にかけて下り傾斜した傾斜部１１３とを有する。【選択図】      図１Ａ
2019042198.tif 000002
【特許請求の範囲】
【請求項１】
バーベキューグリルの火床を支持可能な支持部と、
地面上に接地可能な接地部と、
前記支持部から前記接地部へ延びた一本脚とを有するバーベキューグリル用支持脚。
【請求項２】
請求項１記載のバーベキューグリル用支持脚において、
前記支持部は、前記一本脚の上端部から第１方向の一方側に延びており、
前記接地部は、前記一本脚の下端部から前記第１方向の他方側に延びており、
前記一本脚は、第１地点と、
前記第１地点に対して前記接地部側且つ前記第１方向の一方側に位置する第２地点と、
前記第１地点から前記第２地点にかけて下り傾斜しており且つ前記支持部と前記接地部の間に配置された傾斜部とを有しているバーベキューグリル用支持脚。
【請求項３】
請求項２記載のバーベキューグリル用支持脚において、
前記傾斜部は、前記第１地点から下方に凸となるように湾曲した第１湾曲部を有しているバーベキューグリル用支持脚。
【請求項４】
請求項２または３記載のバーベキューグリル用支持脚において、
前記傾斜部は、前記第２地点から上方に凸となるように湾曲した第２湾曲部を有しているバーベキューグリル用支持脚。
【請求項５】
請求項２〜４の何れかに記載のバーベキューグリル用支持脚において、
前記傾斜部の幅寸法が、前記第１地点から前記第２地点にかけて漸次拡大しているバーベキューグリル用支持脚。
【請求項６】
請求項２〜５の何れかに記載のバーベキューグリル用支持脚において、
前記一本脚は、上下に可撓可能であるバーベキューグリル用支持脚。
【請求項７】
請求項２記載のバーベキューグリル用支持脚において、
前記第２地点は、前記一本脚の前記下端部であるバーベキューグリル用支持脚。
【請求項８】
請求項２〜７の何れかに記載のバーベキューグリル用支持脚において、
前記接地部の前記第１方向の寸法は、前記支持部に支持される前記火床の前記第１方向の寸法とほぼ同じまたは大きいバーベキューグリル用支持脚。
【請求項９】
請求項２〜８の何れかに記載のバーベキューグリル用支持脚において、
前記接地部の第２方向の寸法は、前記支持部に支持される前記火床の前記第２方向の寸法よりも大きく、
前記第２方向は、前記第１方向に直交し且つ前記傾斜部の傾斜方向に交差する方向であるバーベキューグリル用支持脚。
【請求項１０】
請求項１〜９の何れかに記載のバーベキューグリル用支持脚において、
前記接地部は、前記支持部よりも重いバーベキューグリル用支持脚。
【請求項１１】
請求項１〜１０の何れかに記載のバーベキューグリル用支持脚において、
前記一本脚は、当該一本脚の長手方向に並ぶ複数のパーツを有しており、前記複数のパーツのうちの隣り合うパーツが着脱可能であるバーベキューグリル用支持脚。
【請求項１２】
請求項１〜１１の何れかに記載のバーベキューグリル用支持脚において、
前記支持部は、平面視において略Ｕ字状であって、前記一本脚の上端部に接続された接続部と、
前記接続部の両端部から第１方向の一方側に延びており且つ前記火床を挟持可能な一対のアームとを有しているバーベキューグリル用支持脚。
【請求項１３】
請求項１〜１２の何れかに記載のバーベキューグリル用支持脚において、
前記支持部は、平面視において略Ｕ字状であって、前記一本脚の上端部に接続された接続部と、
前記接続部の両端部から第１方向の一方側に延びた一対のアームと、
前記アームの自由端から前記支持部の内側に延びており且つ前記支持部に支持された前記火床に前記第１方向の一方側から当接可能である一対の係止突部とを有しているバーベキューグリル用支持脚。
【請求項１４】
請求項１〜１３の何れかに記載のバーベキューグリル用支持脚と、
前記バーベキューグリル用支持脚の前記支持部に支持される火床とを備えているバーベキューグリル。
【発明の詳細な説明】
【技術分野】
【０００１】
本発明は、バーベキューグリル用支持脚およびこれを備えたバーベキューグリルに関する。
【背景技術】
【０００２】
一般的に、従来のバーベキューグリルは、下記特許文献１に記載されているように、４本の脚を有している。
【先行技術文献】
【特許文献】
【０００３】
【特許文献１】特開平０７-２５５６１０号公報
【発明の概要】
【発明が解決しようとする課題】
【０００４】
本発明は、新規なバーベキューグリル用支持脚およびこれを備えたバーベキューグリルを得る。
【課題を解決するための手段】
【０００５】
上記課題を解決するために、本発明の一態様のバーベキューグリル用支持脚は、バーベキューグリルの火床を支持可能な支持部と、地面上に接地可能な接地部と、支持部から接地部へ延びた一本脚とを有している。このような態様の支持脚による場合、一本脚を有する新規なバーベキューグリル用支持脚が得られる。
【０００６】
支持部は、一本脚の上端部から第１方向の一方側に延びた構成とすることが可能である。接地部は、一本脚の下端部から前記第１方向の他方側に延びた構成とすることが可能である。一本脚は、第１地点と、第１地点に対して接地部側且つ第１方向の一方側に位置する第２地点と、第１地点から第２地点にかけて下り傾斜しており且つ支持部と接地部の間に配置された傾斜部とを有する構成とすることが可能である。このような態様の支持脚は、火床を安定して支持することができる。
【０００７】
傾斜部は、第１地点から下方に凸となるように湾曲した第１湾曲部を有する構成とすることが可能である。このような態様の支持脚による場合、傾斜部が上下方向に可撓しやすくなるので、仮に、支持脚に対して衝撃が加わったとしても、傾斜部が上下方向に可撓することによって、その衝撃を吸収し易くなる。
【０００８】
傾斜部は、第２地点から上方に凸となるように湾曲した第２湾曲部を有する構成とすることが可能である。このような態様の支持脚による場合、傾斜部が上下方向に可撓しやすくなるので、仮に、支持脚に対して衝撃が加わったとしても、傾斜部が上下方向に可撓することによって、その衝撃を吸収し易くなる。
【０００９】
傾斜部の幅寸法が、第１地点から第２地点にかけて漸次拡大した構成とすることが可能である。このような態様の支持脚による場合、支持脚の重心が接地部側に位置するため、当該支持脚が火床を安定して支持することができる。
【００１０】
一本脚は、上下に可撓可能な構成とすることが可能である。このような態様の支持脚による場合、仮に、支持脚に対して衝撃が加わったとしても、傾斜部が上下方向に可撓することによって、その衝撃を吸収し易くなる。
【００１１】
第２地点は、一本脚の下端部であっても良いし、下端部よりも上側の部分であっても良い。第１地点は、一本脚の上端部であっても良いし、上端部よりも下側の部分であっても良い。
【００１２】
接地部の第１方向の寸法は、支持部に支持される火床の第１方向の寸法とほぼ同じまたは大きくすることが可能である。このような態様の支持脚は、火床を安定して支持することができる。
【００１３】
接地部の第２方向の寸法は、支持部に支持される火床の第２方向の寸法よりも大きくすることが可能である。なお、第２方向は、第１方向に直交し且つ傾斜部の傾斜方向に交差する方向とすることが可能である。このような態様の支持脚は、火床を安定して支持することができる。
【００１４】
接地部は、支持部よりも重くすることが可能である。このような態様の支持脚による場合、支持脚の重心が接地部側に位置するため、当該支持脚が火床を安定して支持することができる。
【００１５】
一本脚は、当該一本脚の長手方向に並ぶ複数のパーツを有しており、複数のパーツのうちの隣り合うパーツが着脱可能な構成とすることが可能である。このような態様の支持脚による場合、一本脚が複数のパーツに分割可能であるので、支持脚の収納性および可搬性が向上する。
【００１６】
支持部は、平面視において略Ｕ字状であって、一本脚の上端部に接続された接続部と、接続部の両端部から第１方向の一方側に延びており且つ火床を挟持可能な一対のアームとを有する構成とすることが可能である。このような態様の支持脚による場合、一対のアームによって火床が安定的に支持される。
【００１７】
支持部は、平面視において略Ｕ字状であって、一本脚の上端部に接続された接続部と、接続部の両端部から第１方向の一方側に延びた一対のアームと、アームの自由端から支持部の内側に延びており且つ支持部に支持された火床に第１方向の一方側から当接可能である一対の係止突部とを有する構成とすることが可能である。このような態様の支持脚による場合、係止突部によって火床が係止されるため、火床の支持部からの脱落の可能性が低減される。
【００１８】
本発明の一態様のバーベキューグリルは、上記した何れかの態様のバーベキューグリル用支持脚と、その支持部に支持される火床とを備えている。
【図面の簡単な説明】
【００１９】
【図１Ａ】本発明の実施例１に係るバーベキューグリルの斜視図である。
【図１Ｂ】前記バーベキューグリルの正面図である。
【図１Ｃ】前記バーベキューグリルの背面図である。
【図１Ｄ】前記バーベキューグリルの左側面図である。
【図１Ｅ】前記バーベキューグリルの平面面図である。
【図１Ｆ】前記バーベキューグリルの底面図である。
【図１Ｇ】前記バーベキューグリルの分解斜視図である。
【図２Ａ】前記実施例１に係るバーベキューグリルの第１設計変形例の斜視図である。
【図２Ｂ】前記第１設計変形例のバーベキューグリルの正面図である。
【図２Ｃ】前記第１設計変形例のバーベキューグリルの背面図である。
【図２Ｄ】前記第１設計変形例のバーベキューグリルの左側面図である。
【図２Ｅ】前記第１設計変形例のバーベキューグリルの平面面図である。
【図２Ｆ】前記第１設計変形例のバーベキューグリルの底面図である。
【図３Ａ】前記実施例１に係るバーベキューグリルの第２設計変形例の斜視図である。
【図３Ｂ】前記第２設計変形例のバーベキューグリルの正面図である。
【図３Ｃ】前記第２設計変形例のバーベキューグリルの背面図である。
【図３Ｄ】前記第２設計変形例のバーベキューグリルの左側面図である。
【図３Ｅ】前記第２設計変形例のバーベキューグリルの平面面図である。
【図３Ｆ】前記第２設計変形例のバーベキューグリルの底面図である。
【図４Ａ】前記実施例１に係るバーベキューグリルの第３設計変形例の斜視図である。
【図４Ｂ】前記第３設計変形例のバーベキューグリルの正面図である。
【図４Ｃ】前記第３設計変形例のバーベキューグリルの背面図である。
【図４Ｄ】前記第３設計変形例のバーベキューグリルの左側面図である。
【図４Ｅ】前記第３設計変形例のバーベキューグリルの平面面図である。
【図４Ｆ】前記第３設計変形例のバーベキューグリルの底面図である。
【図５Ａ】本発明の実施例２に係るバーベキューグリルの斜視図である。
【図５Ｂ】前記バーベキューグリルの正面図である。
【図５Ｃ】前記バーベキューグリルの背面図である。
【図５Ｄ】前記バーベキューグリルの左側面図である。
【図５Ｅ】前記バーベキューグリルの平面面図である。
【図５Ｆ】前記バーベキューグリルの底面図である。
【図５Ｇ】前記バーベキューグリルの分解斜視図である。
【図６Ａ】前記実施例２に係るバーベキューグリルの第１設計変形例の斜視図である。
【図６Ｂ】前記第１設計変形例のバーベキューグリルの正面図である。
【図６Ｃ】前記第１設計変形例のバーベキューグリルの背面図である。
【図６Ｄ】前記第１設計変形例のバーベキューグリルの左側面図である。
【図６Ｅ】前記第１設計変形例のバーベキューグリルの平面面図である。
【図６Ｆ】前記第１設計変形例のバーベキューグリルの底面図である。
【図７Ａ】前記実施例２に係るバーベキューグリルの第２設計変形例の斜視図である。
【図７Ｂ】前記第２設計変形例のバーベキューグリルの正面図である。
【図７Ｃ】前記第２設計変形例のバーベキューグリルの背面図である。
【図７Ｄ】前記第２設計変形例のバーベキューグリルの左側面図である。
【図７Ｅ】前記第２設計変形例のバーベキューグリルの平面面図である。
【図７Ｆ】前記第２設計変形例のバーベキューグリルの底面図である。
【図８Ａ】前記実施例２に係るバーベキューグリルの第３設計変形例の斜視図である。
【図８Ｂ】前記第３設計変形例のバーベキューグリルの正面図である。
【図８Ｃ】前記第３設計変形例のバーベキューグリルの背面図である。
【図８Ｄ】前記第３設計変形例のバーベキューグリルの左側面図である。
【図８Ｅ】前記第３設計変形例のバーベキューグリルの平面面図である。
【図８Ｆ】前記第３設計変形例のバーベキューグリルの底面図である。
【発明を実施するための形態】
【００２０】
以下、本発明の種々の実施例について説明する。
【実施例１】
【００２１】
以下、本発明の実施例１およびその設計変形例を含む複数の実施例に係るバーベキューグリルＧ１について図１Ａ〜図４Ｆを参照しつつ説明する。図１Ａ、図２Ａ、図３Ａおよび図４Ａに示すＹ−Ｙ’方向は特許請求の範囲の第１方向に相当し、Ｘ−Ｘ’方向は特許請求の範囲の第２方向に相当し、Ｚ−Ｚ’方向はバーベキューグリルＧ１の高さ方向に相当している。Ｘ−Ｘ’方向は、Ｙ−Ｙ’方向に直交しており、Ｚ−Ｚ’方向はＹ−Ｙ’方向およびＸ−Ｘ’方向に直交している。
【００２２】
バーベキューグリルＧ１は、支持脚１００と、燃焼部２００とを有している。燃焼部２００は、火床２１０と、一対のフランジ２２０とを有している。火床２１０は、ロストルなど収容可能な平面視矩形状の耐熱容器であって、ロストル上に炭や薪などの固形燃料を載置して燃焼させることが可能となっている。火床２１０のＸ方向の上縁から一対のフランジ２２０の一方がＸ方向に延びており、火床２１０のＸ’方向の上縁から一対のフランジ２２０の他方がＸ’方向に延びている。火床２１０上には焼き網２３０や図示しない鉄板を載置可能である。
【００２３】
支持脚１００は、側面視において略Ｚ字状である。支持脚１００は、一本脚１１０と、支持部１２０と、接地部１３０とを有している。一本脚１１０は、金属製の板状パイプ、金属製の板、金属製の円筒状のパイプ、円柱状の金属棒などである。一本脚１１０は、第１地点１１１と、第２地点１１２と、傾斜部１１３とを有している。
【００２４】
第１地点１１１は、一本脚１１０の上端部（Ｚ方向側の端部）と下端部（Ｚ’方向側の端部）の間の任意の地点である。例えば、第１地点１１１は、一本脚１１０の上端部（図１Ａ〜図２Ｆ参照）としたり、一本脚１１０の上端部よりも下側の部分（図３Ａ〜図４Ｆ参照）としたりすることが可能である。後者の場合、一本脚１１０の上端部から第１地点１１１まではＺ−Ｚ’方向に延びていると良いが、これに限定されるものではない。
【００２５】
第２地点１１２は、第１地点１１１に対してＺ’方向側（接地部１３０側）且つＹ方向側に位置していると良い。例えば、第２地点１１２は一本脚１１０の下端部としたり、一本脚１１０の下端部よりも上側部分としたりすることが可能である。後者の場合、一本脚１１０の第２地点１１２から下端部まではＺ−Ｚ’方向に延びていると良いが、これに限定されるものではない。
【００２６】
傾斜部１１３は、第１地点１１１から第２地点１１２まで、Ｙ方向およびＺ’方向の成分を含む斜め方向（傾斜部１１３の傾斜方向）に下り傾斜しており且つＺ−Ｚ’方向において支持脚１００と接地部１３０との間に位置している。傾斜部１１３は、以下の１）または２）の構成を有していると良い。なお、斜め方向は、Ｘ−Ｘ’方向に交差している。
１）傾斜部１１３は、図１Ａ〜図２Ｆに示すように、第１湾曲部１１３ａおよび第２湾曲部１１３ｂの少なくとも一方を有する構成とすることが可能である。第１湾曲部１１３ａは、第１地点１１１から延び、下方（Ｚ’方向）に凸となるように湾曲している。第２湾曲部１１３ｂは、第２地点１１２から延び、上方（Ｚ方向）に凸となるように湾曲している。
２）傾斜部１１３は、図３Ａ〜図４Ｆに示すように、第１地点１１１から第２地点１１２まで直線状に延びている。
【００２７】
上記した何れかの態様の一本脚１１０の少なくとも傾斜部１１３のＸ−Ｘ’方向の寸法は、第１地点１１１から第２地点１１２にかけて漸次拡大していても良い。図１Ｂ、図１Ｃ、図３Ｂおよび図３Ｃに示すように、上記した何れかの態様の一本脚１１０が、上端部から下端部にかけて漸次拡大していても良い。なお、上記した何れかの態様の一本脚１１０のＸ−Ｘ’方向の寸法は、図２Ｂ、図２Ｃ、図４Ｂおよび図４Ｃに示すように、上端部から下端部にかけて一定とすることも当然可能である。
【００２８】
上記した何れかの態様の一本脚１１０は、Ｚ−Ｚ’方向において可撓可能な構成とすることが可能であるが、これに限定されるものではない。上記した何れかの態様の一本脚１１０は、その長手方向に並ぶ複数のパーツを有しており、この複数のパーツのうちの隣り合うパーツが着脱可能な構成とすることが可能である。例えば、一本脚１１０が上記した板状パイプや円筒状のパイプである場合、隣り合うパーツのうちの一方の嵌合突部１１４が、他方内に挿脱可能に接続されるようになっていても良い。図１Ａ〜図４Ｆでは、一本脚１１０は、支持部１２０に接続された上側パーツと接地部１３０に接続された下側パーツとを有しており、下側パーツの嵌合突部１１４が上側パーツ内に挿脱可能に接続されるようになっている。
【００２９】
支持部１２０は、上記した何れかの態様の一本脚１１０の上端部からＹ方向に延びている。支持部１２０は、火床２１０を支持し得るものであれば良く、火床２１０が一体的に設けられていても良い。前者の場合、支持部１２０は、例えば、以下のａ）〜ｃ）の何れかの構成とすることが可能である。
【００３０】
ａ）支持部１２０は、図１Ａ〜図４Ｆに示すように、平面視において略Ｕ字状のパイプまたは金属棒で構成されている。この場合、支持部１２０は、一本脚１１０の上端部に接続された接続部１２１（パーツ）と、一対のアーム１２２（パーツ）とを有している。接続部１２１は、ａ−１）平面視において略Ｕ字状とすることが可能であるし、ａ−２）Ｘ−Ｘ’方向に延びた直線状とすることが可能である。
ａ−１）の場合、一対のアーム１２２は接続部１２１の両端部からＹ方向に延びており、接続部１２１の両端部および一対のアーム１２２が火床２１０のフランジ２２０を支持可能になっている。一対のアーム１２２は接続部１２１の両端部に対して着脱可能に接続されるようになっている。例えば、一対のアーム１２２と接続部１２１の両端部のうちの一方が嵌合突部１２３を有し、他方内に着脱可能に接続されるようになっていても良い。一対のアーム１２２は、Ｘ−Ｘ’方向において火床２１０を挟持する構成とすることが可能である。この場合、一対のアーム１２２の自由端のＸ−Ｘ’方向の間隔が火床２１０のＸ−Ｘ’方向の寸法よりも若干小さくなるように、一対のアーム１２２のＸ−Ｘ’方向の間隔がＹ方向にかけて漸次低減していると良い。なお、一対のアーム１２２は、Ｘ−Ｘ’方向において火床２１０を挟持しない構成とすることも当然可能である。
ａ−２）の場合、一対のアーム１２２は略Ｌ字状であって、接続部１２１の両端部からＸ−Ｘ’方向に延びる第１直線部と、この第１直線部に対して折り曲げられておりＹ方向に延びた第２直線部とを有している。第２直線部が火床２１０のフランジ２２０を支持可能になっている。ａ−２）の一対のアーム１２２も、ａ−１）と同様に、接続部１２１の両端部に対して着脱可能に接続されるようになっている。一対のアーム１２２の第２直線部は、Ｘ−Ｘ’方向において火床２１０を挟持する構成とすることが可能である。この場合、第２直線部の自由端（一対のアーム１２２の自由端）のＸ−Ｘ’方向の間隔が火床２１０のＸ−Ｘ’方向の寸法よりも若干小さくなるように、第２直線部のＸ−Ｘ’方向の間隔がＹ方向にかけて漸次低減していると良い。なお、一対のアーム１２２の第２直線部が、Ｘ−Ｘ’方向において火床２１０を挟持しない構成とすることも当然可能である。
ａ−１）およびａ−２）の何れの場合も、一対のアーム１２２の自由端に内側に凸の係止突部１２２ａが設けられていても良い。係止突部１２２ａは、火床２１０に対してＹ方向側から当接可能である。なお、係止突部１２２ａは省略可能である。
一対のアーム１２２は、接続部１２１の両端部に一体的に設けられていても良い。
【００３１】
ｂ）支持部１２０は、平面視において略Ｏ字状のパイプまたは金属棒で構成されている。この支持部１２０も火床２１０のフランジ２２０を支持可能になっている。この支持部１２０も複数のパーツが着脱可能な構成とすることが可能である。
【００３２】
ｃ）支持部１２０は、火床２１０を収容可能な上側開放の箱体である。
【００３３】
接地部１３０は、上記した何れかの態様の一本脚１１０の下端部からＹ’方向に延びている。接地部１３０は、例えば、以下のｄ）〜ｆ）の何れかの構成とすることが可能である。
ｄ）接地部１３０は、平面視において略Ｕ字状のパイプまたは金属棒で構成されている。この場合、接地部１３０は、一本脚１１０の下端部に接続された接続部１３１（パーツ）と、一対のアーム１３２（パーツ）とを有している。接続部１３１は、ｄ−１）平面視において略Ｕ字状とすることが可能であるし、ｄ−２）Ｘ−Ｘ’方向に延びた直線状とすることが可能である。
ｄ−１）の場合、一対のアーム１３２は接続部１３１の両端部からＹ’方向に延びている。一対のアーム１３２は接続部１３１の両端部に対して着脱可能に接続されるようになっている。例えば、一対のアーム１３２と接続部１３１の両端部のうちの一方が嵌合突部１３３を有し、他方内に着脱可能に接続されるようになっていても良い。
ｄ−２）の場合、一対のアーム１３２は略Ｌ字状であって、接続部１３１の両端部からＸ−Ｘ’方向に延びる第１直線部と、この第１直線部に対して折り曲げられておりＹ’方向に延びた第２直線部とを有している。ｄ−２）の一対のアーム１３２も、ｄ−１）と同様に、接続部１３１の両端部に対して着脱可能に接続されるようになっている。
なお、一対のアーム１３２は、接続部１３１の両端部に一体的に設けられていても良い。
ｅ）接地部１３０は、平面視において略Ｏ字状のパイプまたは金属棒で構成されている。この接地部１３０も複数のパーツが着脱可能な構成とすることが可能である。
ｆ）接地部１３０は板体で構成されている。
【００３４】
上記した何れかの態様の接地部１３０のＹ−Ｙ’方向の寸法は、支持部１２０に支持される火床２１０のＹ−Ｙ’方向の寸法とほぼ同じまたは大きくすると良い。上記した何れかの態様の接地部１３０のＸ−Ｘ’方向の寸法は、支持部１２０に支持される火床２１０のＸ−Ｘ’方向の寸法よりも大きくしても良いが、これに限定されるものではない。上記した何れかの態様の接地部１３０は、支持部１２０よりも重くなっていると良いが、これに限定されるものではない。例えば、接地部１３０および支持部１２０が上記のとおりパイプで構成されている場合、接地部１３０のパイプ径は、支持部１２０のパイプ径よりも太くし、接地部１３０を支持部１２０よりも重くしても良い。
【００３５】
以下、上記した構成のバーベキューグリルＧ１の組み立て方法について詳しく説明する。まず、支持脚１００を用意する。支持脚１００の一本脚１１０が複数のパーツに分割されている場合、複数のパーツを接続して一本脚１１０を組み立てる。支持脚１００の支持部１２０が複数のパーツに分割されている場合、複数のパーツを接続して支持部１２０を組み立てる。支持脚１００の接地部１３０が複数のパーツに分割されている場合、複数のパーツを接続して接地部１３０を組み立てる。
【００３６】
火床２１０を用意する。火床２１０を支持脚１００の支持部１２０に支持させる。火床２１０上に焼き網２３０や鉄板を載置する。このようにしてバーベキューグリルＧ１が組み立てられる。
【００３７】
以下、上記した構成のバーベキューグリルＧ１の分解方法について詳しく説明する。まず、焼き網２３０や鉄板を火床２１０上から撤去する。火床２１０を支持脚１００の支持部１２０から取り外す。その後、支持脚１００の一本脚１１０が複数のパーツからなる場合、複数のパーツを取外し、支持脚１００の支持部１２０が複数のパーツからなる場合、複数のパーツを取外し、支持脚１００の接地部１３０が複数のパーツからなる場合、複数のパーツを取り外す。このようにしてバーベキューグリルＧ１が分解される。
【００３８】
以上のようなバーベキューグリルＧ１は、以下の技術的特徴および効果を奏する。
第１技術的特徴および効果）
側面視において略Ｚ字状の支持脚１００およびこれを有する新規なバーベキューグリルＧ１が得られる。
【００３９】
第２技術的特徴および効果）
支持脚１００は、火床２１０を安定して支持することができる。その理由は以下のとおりである。第１に、支持脚１００が側面視において略Ｚ字状である。第２に、接地部１３０のＹ−Ｙ’方向の寸法が、支持部１２０に支持される火床２１０のＹ−Ｙ’方向の寸法とほぼ同じまたは大きいので、支持脚１００が一本脚１１０を有していても、倒れにくくなる。第３に、接地部１３０を支持部１２０よりも重くしたり、少なくとも傾斜部１１３のＸ−Ｘ’方向の寸法を第１地点１１１から第２地点１１２にかけて漸次拡大させたりすることによって、支持脚１００の重心が接地部１３０側に位置している場合、支持脚１００が地面に安定して立脚する。第４に、接地部１３０のＸ−Ｘ’方向の寸法が、支持脚１００に支持される火床２１０のＸ−Ｘ’方向よりも大きい場合も、支持脚１００が地面に安定して立脚する。第５に、支持脚１００の支持部１２０の一対のアーム１２２が、Ｘ−Ｘ’方向において火床２１０を挟持する場合、火床２１０を安定して支持できる。第６に、平面視略Ｕ字状の支持部１２０の一対のアーム１２２の係止突部１２２ａが、火床２１０に対してＹ方向側から当接する場合、火床２１０が支持部１２０からＹ方向に脱落する可能性が低減される。
【００４０】
第３技術的特徴および効果）
支持脚１００の衝撃吸収性が高くなる。その理由は以下のとおりである。第１に、支持脚１００の一本脚１１０が、Ｚ−Ｚ’方向において可撓可能である場合、仮に支持脚１００に衝撃が加わったとしても、支持脚１００の一本脚１１０がＺ−Ｚ’方向に可撓することによってその衝撃を吸収できる。特に、一本脚１１０が、第１湾曲部１１３ａおよび第２湾曲部１１３ｂの少なくとも一方を有している場合、Ｚ−Ｚ’方向において可撓し易くなるので、衝撃吸収性が向上する。
【実施例２】
【００４１】
以下、本発明の実施例２およびその設計変形例を含む複数の実施例に係るバーベキューグリルＧ２について図５Ａ〜図８Ｆを参照しつつ説明する。図５Ａ、図６Ａ、図７Ａおよび図８Ａに示すＹ−Ｙ’方向は特許請求の範囲の第１方向に相当し、Ｘ−Ｘ’方向は特許請求の範囲の第２方向に相当し、Ｚ−Ｚ’方向はバーベキューグリルＧ１の高さ方向に相当している。Ｘ−Ｘ’方向は、Ｙ−Ｙ’方向に直交しており、Ｚ−Ｚ’方向はＹ−Ｙ’方向およびＸ−Ｘ’方向に直交している。
【００４２】
バーベキューグリルＧ２は、以下の相違点で相違している以外、バーベキューグリルＧ１とほぼ同じ構成である。よって、その相違点について詳しく説明し、バーベキューグリルＧ１と重複する説明は省略する。
【００４３】
相違点１）バーベキューグリルＧ２の燃焼部４００の火床４１０の形状が、バーベキューグリルＧ１の燃焼部２００の火床２１０の形状と相違している。具体的には、火床４１０は、平面視略円形であり、その上縁部にリング状のフランジ４２０が設けられている。火床４１０上に焼き網４３０や図示しない鉄板が載置される。
【００４４】
相違点２）バーベキューグリルＧ２の支持脚３００の支持部３２０が平面視略Ｃ字状である点で、バーベキューグリルＧ２の支持部１２０と相違しているが、それ以外は支持部１２０と同じ構成である。図５Ａ〜図８Ｆ中の３２１は、接続部であり、３２２は一対のアームであり、上記した接続部１２１、アーム１２２で説明したとおりである。図５Ａ〜図８Ｆ中では、一対のアーム３２２は接続部３２１の両端部に一体的に設けられている。
【００４５】
相違点３）バーベキューグリルＧ２の支持脚３００の接地部３３０が平面視略Ｃ字状である点で、バーベキューグリルＧ２の接地部１３０と相違しているが、それ以外は接地部１３０と同じ構成である。図５Ａ〜図８Ｆ中の３３１は、接続部であり、３３２は一対のアームであり、上記した接続部１３１、アーム１３２で説明したとおりである。図５Ａ〜図８Ｆ中では、一対のアーム３３２は接続部３３１の両端部に一体的に設けられている。
【００４６】
接地部３３０の内径は、支持脚３００の外径よりも大きくすることが可能である。バーベキューグリルＧ２の支持脚３００の一本脚３１０が複数のパーツに分離可能である場合、一本脚３１０を複数のパーツに分離し、支持部３２０を接地部３３０内に配置することができる。このようにすれば、支持脚３００をコンパクトに収納できる。支持部３２０を接地部３３０内に配置した状態で、支持部３２０から延びる一本脚３１０のパーツと、接地部３３０から延びる一本脚３１０のパーツとの間に空間が区画される。この空間内に火床４１０などを収納可能としても良い。
【００４７】
バーベキューグリルＧ２の支持脚３００の一本脚３１０は、バーベキューグリルＧ１の支持脚１００の一本脚１１０と同じ構成である。図５Ａ〜図８Ｆ中の３１１は、一本脚３１０の第１地点、３１２は、一本脚３１０の第２地点、３１３は一本脚３１０の傾斜部、３１３ａは、傾斜部の１湾曲部、３１３ｂは傾斜部の第２湾曲部、３１４は一本脚３１０の嵌合突部である。
【００４８】
バーベキューグリルＧ２は、バーベキューグリルＧ１と同様に組み立て、分解が可能である。バーベキューグリルＧ２は、バーベキューグリルＧ１と同様の技術的特徴および効果を奏する。
【００４９】
なお、上記したバーベキューグリル用支持脚およびバーベキューグリルは、上記実施例に限定されるものではなく、特許請求の範囲の記載範囲において任意に設計変更することが可能である。以下、詳しく述べる。
【００５０】
本発明の一本脚は、支持部から接地部へ延びていれば良い。例えば、本発明の一本脚は、接地部と支持部との間でＺ−Ｚ’方向に直線状に延びていても良いし、側面視において略Ｓ字状、略Ｃ状または略く字状に湾曲していても良い。本発明の一本脚は、接地部の中心部と支持部の中心部とを繋ぐ構成とすることも可能であるとし、接地部および支持部のＹ方向の端部またはＹ’方向の端部同士を繋ぐ構成とすることも可能である。この場合、接地部、支持部は、一本脚の上端部、下端部からＹ’方向またはＹ方向に延びていると良い。
【００５１】
なお、上記実施例の各態様および設計変形例におけるバーベキューグリル用支持脚およびバーベキューグリルの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明の支持部または接地部が一本脚から延びる方向である限り任意に設定可能である。本発明の第２方向は、第１方向に交差する限り任意に設定可能である。本発明の第３方向は、第１方向および第２方向に交差しており且つ第１方向および第２方向が位置する平面上に位置しない限り任意に設定することができる。
【符号の説明】
【００５２】
Ｇ１：バーベキューグリル
１００：支持脚
１１０：一本脚
１１１：第１地点
１１２：第２地点
１１３：傾斜部
１１３ａ：第１湾曲部
１１３ｂ：第２湾曲部
１１４：嵌合突部
１２０：支持部
１２１：接続部
１２２：アーム
１２２ａ：係止突部
１２３：嵌合突部
１３０：接地部
１３１：接続部
１３２：アーム
１３３：嵌合突部
２００：燃焼部
２１０：火床
２２０：フランジ
２３０：焼き網
Ｇ２：バーベキューグリル
３００：支持脚
３１０：一本脚
３１１：第１地点
３１２：第２地点
３１３：傾斜部
３１３ａ：第１湾曲部
３１３ｂ：第２湾曲部
３１４：嵌合突部
３２０：支持部
３２１：接続部
３２２：アーム
３３０：接地部
３３１：接続部
３３２：アーム
４００：燃焼部
４１０：火床
４２０：フランジ
４３０：焼き網
【図１Ａ】
2019042198.tif 000003
【図１Ｂ】
2019042198.tif 000004
【図１Ｃ】
2019042198.tif 000005
【図１Ｄ】
2019042198.tif 000006
【図１Ｅ】
2019042198.tif 000007
【図１Ｆ】
2019042198.tif 000008
【図１Ｇ】
2019042198.tif 000009
【図２Ａ】
2019042198.tif 000010
【図２Ｂ】
2019042198.tif 000011
【図２Ｃ】
2019042198.tif 000012
【図２Ｄ】
2019042198.tif 000013
【図２Ｅ】
2019042198.tif 000014
【図２Ｆ】
2019042198.tif 000015
【図３Ａ】
2019042198.tif 000016
【図３Ｂ】
2019042198.tif 000017
【図３Ｃ】
2019042198.tif 000018
【図３Ｄ】
2019042198.tif 000019
【図３Ｅ】
2019042198.tif 000020
【図３Ｆ】
2019042198.tif 000021
【図４Ａ】
2019042198.tif 000022
【図４Ｂ】
2019042198.tif 000023
【図４Ｃ】
2019042198.tif 000024
【図４Ｄ】
2019042198.tif 000025
【図４Ｅ】
2019042198.tif 000026
【図４Ｆ】
2019042198.tif 000027
【図５Ａ】
2019042198.tif 000028
【図５Ｂ】
2019042198.tif 000029
【図５Ｃ】
2019042198.tif 000030
【図５Ｄ】
2019042198.tif 000031
【図５Ｅ】
2019042198.tif 000032
【図５Ｆ】
2019042198.tif 000033
【図５Ｇ】
2019042198.tif 000034
【図６Ａ】
2019042198.tif 000035
【図６Ｂ】
2019042198.tif 000036
【図６Ｃ】
2019042198.tif 000037
【図６Ｄ】
2019042198.tif 000038
【図６Ｅ】
2019042198.tif 000039
【図６Ｆ】
2019042198.tif 000040
【図７Ａ】
2019042198.tif 000041
【図７Ｂ】
2019042198.tif 000042
【図７Ｃ】
2019042198.tif 000043
【図７Ｄ】
2019042198.tif 000044
【図７Ｅ】
2019042198.tif 000045
【図７Ｆ】
2019042198.tif 000046
【図８Ａ】
2019042198.tif 000047
【図８Ｂ】
2019042198.tif 000048
【図８Ｃ】
2019042198.tif 000049
【図８Ｄ】
2019042198.tif 000050
【図８Ｅ】
2019042198.tif 000051
【図８Ｆ】
2019042198.tif 000052